(57)【要約】【課題】顔面や瞼のマッサージに効果を発揮し、皮膚に対して老廃物の除去及び血流の促進に効果を発揮するマッサージ器を提供する。【解決手段】筒状の本体２０内に、振動モーター３１及び電池２１を備えたマッサージ器１０であって、振動モーター３１を備える一端側が、金属ゲルマニウム４０を備えた振動部材３０で覆われている。振動モーター３１は携帯電話用のものが好ましい。【選択図】図５
2008264031.tif 000002
【特許請求の範囲】
【請求項１】
筒状をなす本体の一端側に振動モーターが、他の部分に電池が収納されているマッサージ器であって、
前記一端側が、表面に金属ゲルマニウムを備えた振動部材で覆われていることを特徴とするマッサージ器。
【請求項２】
前記金属ゲルマニウムが、球状の金属ゲルマニウムであることを特徴とする請求項１に記載のマッサージ器。
【請求項３】
前記金属ゲルマニウムが、複数個取付けられていることを特徴とする請求項１又は２に記載のマッサージ器。
【請求項４】
前記振動モーターが、携帯電話用の振動モーターであることを特徴とする請求項１乃至３の何れかに記載のマッサージ器。
【請求項５】
前記本体が、金属製であることを特徴とする請求項１乃至４の何れかに記載のマッサージ器。
【請求項６】
前記本体が、チタン製であることを特徴とする請求項１乃至４の何れかに記載のマッサージ器。
【請求項７】
前記本体が、断面楕円形であることを特徴とする請求項１乃至６の何れかに記載のマッサージ器。
【発明の詳細な説明】
【技術分野】
【０００１】
本発明は、小型のマッサージ器に関し、特に、顔面の美容や瞼のマッサージに適したマッサージ器に関する。
【背景技術】
【０００２】
一般に、マッサージ器には様々なタイプのものがあるが、その一つに振動タイプの電動マッサージ器がある。例えば、特許文献１には、円筒状のケース内に乾電池と振動モーターを備えた電動マッサージ器が紹介されている。このような電動マッサージ器は、振動部を体に押し当てることにより、その部位が振動されるので優れたマッサージ効果を得ることができる。
【０００３】
また、別のタイプとして、ローラタイプのマッサージ器がある。例えば、特許文献２には、ゲルマニウム薄膜が被着された２つのローラを持つローラマッサージ器が紹介されている。このようなローラマッサージ器は、ローラを体に押し当てて転がすことにより、その部位の皮膚に含まれる老廃物を浮き上らせて除去したり、皮膚の血流を促進したりすることができる。すなわち、美容と健康に優れた効果を発揮することができる。
【０００４】
一方、マッサージを施す部位も様々であり、夫々の部位に適したマッサージ器が提案されている。しかし、顔面のマッサージに適したマッサージ器や、顔面の美容効果に優れたマッサージ器は見当たらない。さらに、目を瞑って、瞼を軽くマッサージすると目の疲れが除去されてリフレッシュする効果があるが、これに適したマッサージ器も見当たらない。
【０００５】
特許文献１に記載された電動マッサージ器は、得られる効果が単なるマッサージ効果のみであり、美容や健康に対する効果は得ることができない。また、その大きさ（例えば太さ２５ｍｍ、長さ１１５ｍｍ）から、瞼をマッサージする目的や、顔面をマッサージする目的には大きすぎる。さらに、その大きさや形状から携帯するには不便であり、人前で使用するには違和感がある。
【０００６】
特許文献２に記載されたローラマッサージ器は、皮膚に含まれる老廃物を除去して血流を促進することから、美容や健康に対する効果を得ることができるが、２つのローラを備えていることから、顔面への使用には必ずしも適していない。また、顔面や瞼に対するマッサージの効果は、全く得ることができない。また、携帯には不便な形状であり、人前で使用するには違和感がある。
【特許文献１】特開２００４−３５８０８８号公報
【特許文献２】特開２００５−６６３０４号公報
【発明の開示】
【発明が解決しようとする課題】
【０００７】
本発明の目的は、顔面や瞼のマッサージに効果を発揮し、気持ちが落ち着いてリラックスした一時を過ごすことができる小型のマッサージ器を提供することにある。同時に、皮膚に対して老廃物の除去や血流の促進に効果を発揮し、美容と健康を得ることができる小型のマッサージ器を提供することにある。そして、携帯に適した大きさと形状であり、人前でも何気なく使用することができるマッサージ器を提供することにある。
【課題を解決するための手段】
【０００８】
上記の課題を解決するために、本発明の請求項１に係るマッサージ器は、筒状をなす本体の一端側に振動モーターが、他の部分に電池が収納されているマッサージ器であって、前記一端側が、表面に金属ゲルマニウムを備えた振動部材で覆われている手段を採用している。また、本発明の請求項２に係るマッサージ器は、請求項１に記載のマッサージ器において、前記金属ゲルマニウムが、球状の金属ゲルマニウムである手段を採用している。また、本発明の請求項３に係るマッサージ器は、請求項１又は２に記載のマッサージ器において、前記金属ゲルマニウムが、複数個取付けられている手段を採用している。
【０００９】
また、本発明の請求項４に係るマッサージ器は、請求項１乃至３の何れかに記載のマッサージ器において、前記振動モーターが、携帯電話用の振動モーターである手段を採用している。また、本発明の請求項５に係るマッサージ器は、請求項１乃至４の何れかに記載のマッサージ器において、前記本体が、金属製である手段を採用している。また、本発明の請求項６に係るマッサージ器は、請求項１乃至４の何れかに記載のマッサージ器において、前記本体が、チタン製である手段を採用している。また、本発明の請求項７に係るマッサージ器は、請求項１乃至６の何れかに記載のマッサージ器において、前記本体が、断面楕円形である手段を採用している。
【発明の効果】
【００１０】
本発明のマッサージ器は、上記の手段を採用することにより、顔面や瞼のマッサージに優れた効果を発揮する小型のマッサージ器とすることができる。これを使用することにより気持ちが落ち着いて、リラックスすることができ、同時に、皮膚に対して老廃物の除去や血流の促進に効果を発揮して、美容と健康を得ることができる。そして、携帯に適した大きさと形状であり、人前でも何気なく使用することができる。
【発明を実施するための最良の形態】
【００１１】
以下、添付の図に示す具体例を参照して、本発明のマッサージ器を具体的に説明する。図１〜図４は、本発明の一実施例であるマッサージ器１０を示しており、図５〜図６はその概略断面図を示している。マッサージ器１０は、筒状をなす本体２０の一端側に振動モーター３１が、他の部分に電池２１が収納されている。そして、その一端側が、表面に金属ゲルマニウム４０を備えた振動部材３０で覆われている。
【００１２】
マッサージ器１０は、できる限り小型であることが好ましい。すなわち、振動部材３０を含めた全体の長さが、８０ｍｍ以下であることが好ましく、７０ｍｍ以下であることがより好ましい。本体２０の材質は特に限定されないが、金属又は樹脂とすることが好ましい。また、本体２０の材質をチタン又はチタン合金とすることにより抗菌作用が発現し、金属アレルギーも生じないので好ましい。
【００１３】
本体２０の形状は、収納する電池２１の種類によるが、図では単４の乾電池を２本使用する場合を示し、その断面を楕円形としている。また、電池２１にボタン型を使用する場合には、マッサージ器１０をさらに小型化することができる。本体１０の他端は、開閉自在のキャップ２２が設けられ、電池２１の交換等に用いることができる。また、キャップ２２にはスイッチ２３が設けられ、自由にＯＮ、ＯＦＦすることができるようになっている。
【００１４】
振動モーター３１は、回転軸に偏心ローターを備えたモーターであり、偏心ローターが回転することにより、その周囲に振動を与えることができる。本発明で用いる振動モーター３１は、小型であることが好ましい。例えば、携帯電話で広く使用されている振動モーターは、小型であり顔面や瞼に優しいので、これを本発明のマッサージ器１０に転用することができる。
【００１５】
金属ゲルマニウム４０は、球状等の粒状とすることが好ましく、その大きさは３〜８ｍｍ程度とすることが好ましい。また、金属ゲルマニウム４０は、振動部材３０の表面に複数個取付けることが好ましい。これにより、肌を優しく押圧した状態で振動を加え、顔や瞼をマッサージすることができる。
【００１６】
本発明のマッサージ器１０は、金属ゲルマニウム４０を備えた振動部材３０を顔面等に当ててスイッチ２３をＯＮにすると、電池２１により振動モーター３１が駆動され、振動部材３０が振動する。したがって、顔面等のマッサージに効果を発揮することになる。また、金属ゲルマニウム４０が皮膚に直接働いて、老廃物を除去すると共に血流を促進するので、美容と健康に効果を発揮することになる。
【図面の簡単な説明】
【００１７】
【図１】本発明の一実施例であるマッサージ器を示す概略平面図である。
【図２】図１に示すマッサージ器の概略左側面図である。
【図３】図１に示すマッサージ器の概略右側面図である。
【図４】図１に示すマッサージ器の概略正面図である。
【図５】図１に示すマッサージ器の概略横断面図である。
【図６】図１に示すマッサージ器の概略縦断面図である。
【符号の説明】
【００１８】
１０    マッサージ器
２０    本体
２１    電池
２２    キャップ
２３    スイッチ
３０    振動部材
３１    振動モーター
４０    金属ゲルマニウム
【図１】
2008264031.tif 000003
【図２】
2008264031.tif 000004
【図３】
2008264031.tif 000005
【図４】
2008264031.tif 000006
【図５】
2008264031.tif 000007
【図６】
2008264031.tif 000008